(57)【特許請求の範囲】
【請求項１】
鼻中に挿入されて、呼吸の際に吸入される外気をろ過する鼻腔挿入型マスクにおいて、
鼻腔に深く挿入され得るように、上部方向に直径が次第に狭くなる円錘形で形成され、
空気の円滑な通過のために、上部、下部、側面が開放された形態からなる本体（１００）と、
前記本体（１００）の外面から脱着可能に備えられるものであって、外気に含まれた異物をろ過させるフィルタ（２００）と、
前記本体（１００）の外面を囲んで配置されたフィルタ（２００）が本体（１００）から離脱されないように、フィルタ（２００）の一部分を本体（１００）に密着固定させるものであって、内壁部（３２０）と外壁部（３３０）とを含む二重壁構成を提供し、外壁部（３３０）が内壁部（３２０）より高さが高く形成されることにより、鼻腔内壁の鼻水がフィルタ（２００）に触れることを防止し、鼻腔内壁に沿って流れる鼻水を収容できる鼻水収容部（３４０）を含んでなる固定チューブ（３００）と、
を備えて構成されたことを特徴とする鼻腔挿入型マスク。
【請求項２】
前記本体（１００）は、
下部に位置し、内側は、空気の円滑な通過のための空気通過孔（１１２）が垂直に貫通された円筒状からなり、外側は、固定チューブ（３００）を嵌合できるように、周りに嵌合溝部（１１１）が形成された支持下部（１１０）と、
前記支持下部（１１０）から上部方向に所定距離離間した位置に形成されるものであって、中央が貫通されたリング状からなる支持上部（１２０）と、
前記支持下部（１１０）と支持上部（１２０）との間を連結し、各構成を支持する少なくとも１つ以上の連結バー（１３０）と、
を備えて構成されたことを特徴とする請求項１に記載の鼻腔挿入型マスク。
【請求項３】
前記本体（１００）の支持上部（１２０）は、支持下部（１１０）より直径が小さく形成されることを特徴とする請求項２に記載の鼻腔挿入型マスク。
【請求項４】
鼻中に挿入されて、呼吸の際に吸入される外気をろ過する鼻腔挿入型マスクにおいて、
鼻腔に深く挿入され得るように、上部方向に直径が次第に狭くなる円錘形で形成され、空気の円滑な通過のために、上部、下部、側面が開放された形態からなる本体（１００）と、
前記本体（１００）の外面から脱着可能に備えられて、外気に含まれた異物をろ過させるものであって、綿糸と韓紙糸とが混合されてなるフィルタ（２００）と、
前記本体（１００）の外面を囲んで配置されたフィルタ（２００）が本体（１００）から離脱されないように、フィルタ（２００）の一部分を本体（１００）に密着固定させるものであって、内壁部（３２０）と外壁部（３３０）とを含む二重壁構成と、鼻腔内壁に沿って流れる鼻水を収容できる鼻水収容部（３４０）とを含んでなる固定チューブ（３００）と、
を備えて構成され、
前記フィルタは、楮を主原料として製造された韓紙と天然木綿とを各々７：３の重量割合で混合して韓紙を主成分とする第１の繊維を形成し、天然木綿から製造された天然綿糸を抗菌水に浸漬させた後、乾燥過程を介してなされる第２の繊維を形成した後、前記第１の繊維と第２の繊維とを製織加工してフィルタ（２００）を形成するものであって、製織加工された第１の繊維と第２の繊維とは５：５の重量比で形成されており、
前記抗菌水は、紫竹塩を水に希釈した紫竹塩水と、フィトンチッド原液のうち、いずれか１つを適用するか、紫竹塩をフィトンチッド原液に希釈したものが適用されることを特徴とする鼻腔挿入型マスク。
【請求項５】
前記固定チューブ（３００）は、
中央部が垂直に貫通されて本体（１００）に嵌合され得るようにした嵌合通孔（３１０）と、本体（１００）外部に挟まれたフィルタ（２００）を本体（１００）に密着固定させるための内壁部（３２０）と、鼻腔内の皮膚に密着固定されることで離脱を防止するように構成された外壁部（３３０）と、内壁部（３２０）と外壁部（３３０）との間で離間した空間を形成し、下部は、遮断された「Ｕ」字型断面の空間部を形成した鼻水収容部（３４０）と、
を備えて構成されたことを特徴とする請求項４に記載の鼻腔挿入型マスク。
【請求項６】
前記内壁部（３２０）において嵌合通孔（３１０）に向けた内側面は、本体（１００）の嵌合溝部（１１１）の形状に対応するように曲面形からなる嵌合突出部（３２１）が嵌合通孔（３１０）の方向に突出形成されたことを特徴とする請求項５に記載の鼻腔挿入型マスク。
【請求項７】
鼻中に挿入されて、呼吸の際に吸入される外気をろ過する鼻腔挿入型マスクにおいて、
鼻腔に深く挿入され得るように、上部方向に直径が次第に狭くなる円錘形で形成され、空気の円滑な通過のために、上部、下部、側面が開放された形態からなる本体（１００）と、
前記本体（１００）の外面から脱着可能に備えられるものであって、外気に含まれた異物をろ過させるフィルタ（２００）と、
前記本体（１００）の外面を囲んで配置されたフィルタ（２００）が本体（１００）から離脱されないように、フィルタ（２００）の一部分を本体（１００）に密着固定させるものであって、内壁部（３２０）と外壁部（３３０）とを含む二重壁構成を提供し、外壁部（３３０）が内壁部（３２０）より高さが高く形成されることによって鼻腔内壁の鼻水がフィルタ（２００）に触れることを防止し、鼻腔内壁に沿って流れる鼻水を収容できる鼻水収容部（３４０）を含んでなる固定チューブ（３００）と、
を備え、
前記本体（１００）と固定チューブ（３００）とのうち、少なくとも１つ以上は、シリコンと機能性組成物との混合物からなるものであって、前記本体（１００）と固定チューブ（３００）とのうち、少なくとも１つ以上は、シリコンが９３〜９６重量％、硬化剤が１〜３重量％、機能性組成物が２〜５重量％を含んでなり、機能性組成物の粒度サイズは２００〜１０００ｍｅｓｈ範囲に微細に粉砕された形態が適用され、
前記機能性組成物は、銀（Ａｇ）、金（Ａｕ）、ゲルマニウム（Ｇｅ）、炭、麦飯石、絹雲母、活性炭、磁石のうち、少なくとも１つ以上が含まれてなることを特徴とする鼻腔挿入型マスク。
【請求項８】
前記抗菌水は、紫竹塩とフィトンチッド原液の混合物が使用されるものであって、その割合は、全体混合物１００重量％に対して、紫竹塩が４０〜６０重量％と、フィトンチッド原液が４０〜６０重量％を混合して紫竹塩を溶解させた混合物が適用されることを特徴とする請求項４〜６のいずれか１項に記載の鼻腔挿入型マスク。
【発明の詳細な説明】
【技術分野】
【０００１】
本発明は、鼻腔挿入型マスクに関し、より詳細には、鼻中に挿入し、呼吸の際に鼻に吸入される外気に含まれた各種微細なほこりをろ過し、抗菌効果及び遠赤外線放出効果を提供して、呼吸器官の健康を増進させることができる鼻腔挿入型マスクに関する。
【背景技術】
【０００２】
一般に、花粉、黄砂、細菌など、人体に有害なほこりが口や鼻を介して流入することを防止するように、種々の形態と構造を有したマスクを使用している。
【０００３】
最近は、中国の砂漠などから吹く強い黄砂が子供やお年寄り、そして室外で活動する多くの人々に呼吸器障害を起こしており、重金属を多量含有した強い黄砂は、人々の室外活動を制限するため、室外で行われる経済活動などに大きく悪影響を与えている。
【０００４】
このように、公害が酷い都心や強い黄砂がある環境に置かれている人、例えば、都心で長時間を運転する人、室外で活動する人、農薬散布作業をする人などの場合には、ほこりや塗料粉塵、農薬、自動車排出ガス、黄砂、大気中の重金属などに容易に露出するので、そういう有害物質等が体の中に入ることを防止するために、所定のマスクを着用する。
【０００５】
しかしながら、一般的に使用する従来のマスクは、鼻と口とを共に覆う形態で提供されるものであって、外観を無視した形態とサイズで製作されたマスクは、着用の際、周囲の人から耳目が集中され、着用を忌避する現象があり、マスク締付け手段としてヘアバンドやイヤリング式の紐や絆創膏などを用いたので、着用上、不便さがあったし、口を覆うので、マスクを着用した状態で話による意志伝達が難しいという問題などがあった。
【０００６】
また、このような従来のマスクを着用するようになると、鼻の両側の凹んだ部分が浮き立つようになるので、その隙間を介してほこりや異物及び病菌が浸透する恐れが高かったので、完壁な対処方案になり得なかった。
【０００７】
このような問題を解決するための技術の一例が下記の特許文献１に開示されている。
【０００８】
下記の特許文献１には、携帯が簡便かつ迅速に鼻に挿入することができ、鼻孔に挿入されて楽な呼吸が可能でありつつ、ウイルスと微細ほこりを除去できる鼻腔マスクを提供するものであって、これは、十分な通気性を与えて一次的に外部の有害空気をろ過する第１のフィルタ部と、前記第１のフィルタ部でろ過された空気に含まれた微細ほこり及び有機物を吸着させるとともに、ウイルスの除去及び殺菌のための充填物を含むろ過部と、前記ろ過部を通過した空気の有害性分を最終的にろ過して鼻内部に排出する第２のフィルタ部とを備えることを特徴とする鼻孔に挿入される鼻腔マスクについて開示されている。
【０００９】
しかし、上述したような従来の技術は、マスクの形態が一字である円筒形カプセル形態からなり、鼻から容易に離脱されるという問題があり、複数のフィルタ部及びろ過部はいずれもフィルタからなり、これらが順次連結されることによって所定時間の間使用した後には交替し難く、一度使用した後に捨てられるという問題があった。
【先行技術文献】
【特許文献】
【００１０】
【特許文献１】韓国登録特許第１１３２０００号公報
【発明の概要】
【発明が解決しようとする課題】
【００１１】
本発明の目的は、上述した問題点を解決するために案出されたものであって、鼻中に挿入し、呼吸の際に鼻に吸入される外気に含まれた各種微細ほこりをろ過し、鼻腔内抗菌効果を増進させて呼吸器疾患を予防する一方、マスクが鼻腔内から容易に離脱されないように構成され、ハウジングに嵌合された異物ろ過フィルタだけを交替可能であって、ろ過性能を維持及び経済的使用が可能なように構成された鼻腔挿入型マスクを提供することにその目的がある。
【課題を解決するための手段】
【００１２】
前記目的を達成するために、本発明に係る挿入型マスクは、鼻腔に深く挿入され得るように、上部方向に直径が次第に狭くなる円錘形で形成され、空気の円滑な通過のために、上部、下部、側面が開放された形態からなる本体と、前記本体の外面から脱着可能に備えられるものであって、外気に含まれた異物をろ過させるフィルタと、前記本体の外面を囲んで配置されたフィルタが本体から離脱されないように、フィルタの一部分を本体に密着固定させるものであって、内壁部と外壁部とを含む二重壁構成と、鼻腔内壁に沿って流れる鼻水を収容できる鼻水収容部とを含んでなる固定チューブとを備えて構成されたことを特徴とする。
【００１３】
また、前記本体は、内側は、空気の円滑な通過のための空気通過孔が垂直に貫通された円筒状からなり、外側は、固定チューブを嵌合できるように、周りに嵌合溝部が形成された支持下部と、前記支持下部から上部方向に所定距離離間した位置に形成されるものであって、中央が貫通されたリング状からなる支持上部と、前記支持下部と支持上部との間を連結し、各構成を支持する少なくとも１つ以上の連結バーとを備えて構成されたことを特徴とする。また、前記本体の支持上部は、支持下部より直径が小さく形成されることを特徴とする。
【００１４】
また、前記フィルタは、綿糸と韓紙糸（Ｋｏｒｅａｎ  ｐａｐｅｒ  ｙａｒｎ）との混合からなることを特徴とする。
【００１５】
また、前記フィルタは、楮を主原料として製造された韓紙と天然木綿が各々７：３の重量割合で混合されて韓紙を主成分とする第１の繊維を形成し、天然木綿から製造された天然繊維に該当する綿糸を抗菌水に浸漬させた後、乾燥過程を介してなされる第２の繊維を形成した後、前記第１の繊維と第２の繊維とを製織加工してフィルタを形成するものであって、製織加工において第１の繊維と第２の繊維とは５：５の重量比で形成されることを特徴とする。
【００１６】
また、前記固定チューブは、中央部が垂直に貫通されて本体に嵌合され得るようにした嵌合通孔と、本体外部に挟まれたフィルタを本体に密着固定させるための内壁部と、鼻腔内の皮膚に密着固定されることで離脱を防止するように構成された外壁部と、内壁部と外壁部との間で離間した空間を形成し、下部は、遮断された「Ｕ」字形断面の空間部を形成した鼻水収容部とを備えて構成されたことを特徴とする。
【００１７】
また、前記外壁部は、前記内壁部より高さが高く形成されて、鼻腔内壁の鼻水がフィルタに触れることを防止した構成であることを特徴とする。
【００１８】
また、前記内壁部において嵌合通孔に向けた内側面は、本体の嵌合溝部形状に対応するように曲面形からなる嵌合突出部が嵌合通孔方向に突出形成されたことを特徴とする。
【００１９】
また、前記本体と固定チューブとのうち、少なくとも１つ以上は、シリコンと機能性組成物との混合物からなることを特徴とする。
【００２０】
また、前記本体と固定チューブとのうち、少なくとも１つ以上は、シリコンが９３〜９６重量％、硬化剤が１〜３重量％、機能性組成物が２〜５重量％を含んでなり、機能性組成物の粒度サイズは２００〜１０００ｍｅｓｈ範囲に微細に粉砕された形態が適用されることを特徴とする。
【００２１】
また、前記機能性組成物は、銀（Ａｇ）、金（Ａｕ）、ゲルマニウム（Ｇｅ）、炭、麦飯石、絹雲母、活性炭、磁石のうち、少なくとも１つ以上が含まれてなることを特徴
とする。
【００２２】
また、前記抗菌水は、紫竹塩を水に希釈した紫竹塩水と、フィトンチッド原液のうち、いずれか１つを適用するか、紫竹塩をフィトンチッド原液に希釈したものが適用されることを特徴とする。
【００２３】
また、抗菌水は、全体混合物１００重量％に対して、紫竹塩が４０〜６０重量％と、フィトンチッド原液が４０〜６０重量％を混合して紫竹塩を溶解させた混合物が適用されることを特徴とする。
【発明の効果】
【００２４】
上述したように、本発明に係る鼻腔挿入型マスクは、鼻に吸入される外気に含まれた各種細菌及び微細ほこりを浄化することによって呼吸器疾患を予防する一方、マスクが鼻から容易に離脱されないようにして着用性能を向上させるという効果がある。
【００２５】
また、本発明に係る鼻腔挿入型マスクは、フィルタ機能が失われた場合、ユーザが容易にろ過フィルタを交替可能なように構成されて、本体及び固定チューブの再使用が可能であり、ろ過フィルタをユーザの望む時点で容易に交替使用することによって空気ろ過機能を着実に維持できるという効果もある。
【００２６】
また、本体と固定チューブには、各種機能性組成物が含まれて、抗菌効果を介しての細菌増殖を防止し、遠赤外線放出を介しての細胞活性効果から血液循環を促進して呼吸器官の健康を守るという効果もある。
【００２７】
また、天然繊維である綿糸と韓紙糸とを素材としたフィルタにより鼻腔内部の生理作用（例：温度、湿度、ろ過等）を調節するので、特に、冬季に吸入される空気に対する保温効果を有し、湿気を調節して呼吸機関の健康を増進させるという効果もある。
【図面の簡単な説明】
【００２８】
【図１】本発明の実施形態に係る鼻腔挿入型マスクを示した全体構成斜視図である。
【図２】本発明の実施形態に係る鼻腔挿入型マスクに対する全体構成組立断面図であ    る。
【図３】本発明の実施形態に係る鼻腔挿入型マスクの各構成を示した分離図である。
【図４】本発明の実施形態に係る鼻腔挿入型マスクの各構成を示した分離断面図であ    る。
【図５】本発明の実施形態に係る鼻腔挿入型マスクの本体を示した斜視図である。
【図６】本発明の実施形態に係る鼻腔挿入型マスクの固定チューブを示した斜視図で    ある。
【図７】本発明の実施形態に係る鼻腔挿入型マスクにおいて空気の流れを示した使用    状態図である。
【図８】本発明の実施形態に係る鼻腔挿入型マスクを着用した状態を示した使用状態    図である。
【発明を実施するための形態】
【００２９】
本発明に係る鼻腔挿入型マスクは、鼻腔に深く挿入され得るように、上部方向に直径が次第に狭くなる円錘形で形成され、空気の円滑な通過のために、上部、下部、側面が開放された形態からなる本体と、前記本体の外面から脱着可能に備えられるものであって、外気に含まれた異物をろ過させるフィルタと、前記本体の外面を囲んで配置されたフィルタが本体から離脱されないようにフィルタの一部分を本体に密着固定させるものであって、内壁部と外壁部とを含む二重壁構成と、鼻腔内壁に沿って流れる鼻水を収容できる鼻水収容部とを含んでなる固定チューブとを備えることを特徴とする。
【００３０】
前記フィルタは、綿糸と韓紙糸との混合からなることを特徴とする。
【００３１】
前記本体と固定チューブのうち、少なくとも１つ以上は、シリコンと機能性組成物の混合物からなり、前記機能性組成物は、銀（Ａｇ）、金（Ａｕ）、ゲルマニウム（Ｇｅ）、炭、麦飯石、絹雲母、活性炭、磁石のうち、少なくとも１つ以上が含まれてなることを特徴とする。
【００３２】
以下、本発明の好ましい実施形態を添付された図面を参照して説明すれば、次のとおりである。
【００３３】
図１〜図６は、本発明の実施形態に係る鼻腔挿入型マスクを示したものであって、図１及び図２は、鼻腔挿入型マスクの全体組立構成を示したものであり、図３及び図４は、鼻腔挿入型マスクの分離された構成を示したものであり、図５は、鼻腔挿入型マスクにおいて本体の形状を示したものであり、図６は、鼻腔挿入型マスクにおいて固定チューブの形状を示したものである。
【００３４】
図１〜図６に示されたように、本発明に係る鼻腔挿入型マスクは、鼻中に挿入されて、呼吸の際に吸入される外気をろ過するものであって、本体１００、フィルタ２００、固定チューブ３００を備えて構成する。
【００３５】
本体１００は、鼻腔内に挿入されたフィルタ２００の形態を維持し、固定チューブ３００を固定するための目的を有するものであって、上端、下端、側面が共に開放された形態からなり、空気通過効率を向上させた構成的特徴を有し、大きくは、支持下部１１０と、支持上部１２０と、連結バー１３０とを備えて構成される。
【００３６】
上記において支持下部１１０は、本体１００の下部に位置するものであって、内側は、空気の円滑な通過のための空気通過孔１１２が垂直に貫通された円筒状からなり、外側は、固定チューブ３００を嵌合できるように周りに嵌合溝部１１１が形成される。
【００３７】
上記において支持上部１２０は、本体１００の上部に位置するものであって、空気の円滑な通過のために、中央が貫通されたリング状からなり、前記支持下部１１０から上部方向に所定距離離間した位置に形成されるが、これは、側方向にも空気の円滑な通過がなされ得るようにするためである。
【００３８】
上記において連結バー１３０は、支持下部１１０と支持上部１２０との間を連結して各構成を支持するものであって、少なくとも１つ以上の連結バー１３０が適用され得るし、支持下部１１０と支持上部１２０とに連結される各端部には、耐久性向上のための補強部がさらに形成されることが好ましい。
【００３９】
また、前記支持上部１２０は、支持下部１１０より直径が小さく形成されるものであって、本体１００の全体的な形状は、上部に向けて直径が次第に小さくなる円錘状を有するものであり、これは、鼻腔に深く挿入され得るようにしたものであり、鼻腔の内部構造を考慮して鼻腔マスクが挿入されたときの着用感向上のための形状でありつつ、鼻腔内部に挿入された鼻腔マスクを取り出す過程も容易なように構成されたものである。
【００４０】
上記のような形状からなる本体１００は、合成樹脂からなり、鼻腔内の着用感を考慮してシリコン素材で形成されることが好ましい。
【００４１】
また、前記本体１００には、抗菌効果を向上させ、遠赤外線及び陰イオン放出効果から血液循環促進効果がある機能性組成物が含まれるが、このような機能性組成物は、銀（Ａｇ）、金（Ａｕ）、ゲルマニウム（Ｇｅ）、炭、麦飯石、絹雲母、活性炭、磁石のうち、少なくとも１つ以上が含まれ得る。上記において、炭、麦飯石、絹雲母、活性炭は、遠赤外線放出による血液循環及び細胞活性促進と、抗菌機能の他に、脱臭及び湿度調節効果があるものと知られている。
【００４２】
上記において磁石は、血液循環促進機能の他に、各種産業現場で空気中に浮かんでいる微細金属粉塵を磁力によって一部吸着させることもできる。
【００４３】
前記本体１００を構成するそれぞれの組成比は、全体１００重量％に対して、シリコンが９３〜９６重量％、硬化剤が１〜３重量％、機能性組成物が２〜５重量％を含んでなり、機能性組成物の粒度サイズは、２００〜１０００ｍｅｓｈ範囲に微細に粉砕された形態が適用されることが好ましい。
【００４４】
このとき、シリコンが９３重量％未満に含有されるか、機能性組成物が５重量％を超過して含有されれば、成形された本体１００の弾性力が低下して着用感が良くなく、機能性組成物との嵌合力が低下して製品にクラックが発生したり、製品成形性が良くないという問題がある。
【００４５】
それに対し、シリコンが９６重量％を超過して含有されれば、相対的に機能性組成物の含量が少なくなるが、シリコンが９６重量％を超過したり、機能性組成物が２重量％未満に含有されれば、機能性組成物による抗菌及び遠赤外線放出効果などが低下して良くない。
【００４６】
また、機能性組成物の粒度サイズが２００ｍｅｓｈ未満であれば、粒子が太くて着用感が悪くなり、製品にクラック発生の恐れがあったり、成形性が良くないという問題があり、機能性組成物の粒度サイズが１０００ｍｅｓｈを超過すれば、粉砕過程が難しくなり、
製品生産性が低下するという問題がある。
【００４７】
フィルタ２００は、前記本体１００の外面に脱着可能に備えられて、外気に含まれた有害物質をろ過させる機能を果たす。特に、前記フィルタ２００は、フィルタのろ過機能が失われた場合、ユーザが容易にフィルタ２００を交替可能なように構成されて、本体１００及び固定チューブ３００の再使用が可能であり、フィルタ２００をユーザの望む時点で容易に交替使用することで空気浄化機能を着実に維持することができる。
【００４８】
前記フィルタ２００は、前記本体１００の外部に備えられるものであるから、前記本体１００の形態と類似した形態で形成されることが好ましい。
【００４９】
前記フィルタ２００は、天然繊維である綿糸と、楮を主成分として製造された韓紙から繊維形態の糸を形成した韓紙糸との混合からなるが、前記韓紙糸は、抗菌性に優れ、空気透過率が良く、多孔性構造による脱臭効果及び遠赤外線放射率が高く、速い乾燥性能を有するという特徴がある。
【００５０】
より詳細に、本発明に係るフィルタ２００は、楮を主原料として製造された韓紙と天然木綿とを各々７：３の重量割合で混合して韓紙を主成分とする第１の繊維（韓紙糸）を形成し、天然木綿を用いて製造された天然綿糸を抗菌水に浸漬させた後、乾燥過程を介してなされる第２の繊維を形成した後、前記第１の繊維と第２の繊維とを製織加工してフィルタ２００を形成する。このとき、製織加工された第１の繊維と第２の繊維とは、５：５の重量比で形成されることが好ましい。
【００５１】
前記抗菌水は、紫竹塩を水に希釈した紫竹塩水と、フィトンチッド原液のうち、いずれか１つを使用するか、紫竹塩をフィトンチッド原液に希釈して使用することができる。
【００５２】
紫竹塩とは、天日塩を竹とともに高温で９回焼き上げる過程を介して紫色を帯びながら形成された竹塩に関するものであって、これは、抗菌作用に優れ、その他、消炎作用及び血液循環促進にも良いものと知られている。本発明において使用された紫竹塩水は、前記紫竹塩を水に希釈させて飽和溶液を作った後、使用することが好ましい。
【００５３】
フィトンチッドは、植物が病原菌、害虫、かびに抵抗するために噴き出したり、分泌する物質であって、森林浴を介してフィトンチッドを飲めばストレスが解消され、殺菌作用があるものと知られている。本発明において使用されるフィトンチッドは、植物からフィトンチッド成分だけを抽出した抽出液を用いるか、市中で販売されるフィトンチッド抽出液を用いることができる。
【００５４】
また、前記紫竹塩とフィトンチッド原液とを混合して使用する場合、その割合は、全体混合物１００重量％に対して、紫竹塩が４０〜６０重量％と、フィトンチッド原液が４０〜６０重量％を混合して紫竹塩を溶解させた混合物を使用する。
【００５５】
上記において全体混合物１００重量％に対して紫竹塩が４０重量％未満に混合されるか、フィトンチッド原液が６０重量％を超過して混合されれば、紫竹塩の効能が僅かに作用して好ましくないし、上記において全体混合物１００重量％に対して紫竹塩が６０重量％を超過して混合されるか、フィトンチッド原液が４０重量％未満に混合されれば、紫竹塩がフィトンチッド原液に混合される希釈量が飽和状態を超過するので、好ましくない。
【００５６】
前記フィルタ２００の第１の繊維は、韓紙と天然木綿との混合からなり、韓紙が前記加工条件より少なく含有されれば、韓紙を主成分とする韓紙糸が提供する各種効果が僅かになり、フィルタ２００が全体的に揺れ動く形態で維持されて形状維持が難しいという問題がある。それに対し、韓紙が前記加工条件より多く含有されれば、フィルタ２００が固くて着用感が低下し、フィルタ２００の表面が粗くなるという問題があって良くない。
【００５７】
上記のような方法で製造されたフィルタ２００は、抗菌作用だけでなく、韓紙糸と綿糸との組み合わせで形成されて、鼻中の生理作用（例：温度、湿度、ろ過等）を調節でき、特に、冬季に吸入される空気に対する保温効果を有し、湿気を調節して鼻の健康を増進させることができる。
【００５８】
固定チューブ３００は、前記本体１００の外面に結合されて、前記フィルタ２００が本体１００から離脱されないように密着固定させ、本発明に係る鼻腔挿入型マスクが鼻腔内の皮膚に密着されて外部に離脱されることを防止し、そして、フィルタ２００を鼻腔内の皮膚から離間してフィルタ２００が鼻水に濡れることを防止し、鼻水を別に収容する機能をする。
【００５９】
上記のような固定チューブ３００は、全体的な形状がリングタイプからなるが、具体的な構成では、嵌合通孔３１０と、内壁部３２０と、外壁部３３０と、鼻水収容部３４０とを備えて構成する。
【００６０】
前記嵌合通孔３１０は、中央部が垂直に貫通されて本体１００に嵌合され得るようにしたものである。
【００６１】
前記内壁部３２０は、本体１００外部に挟まれたフィルタ２００を本体１００に密着固定させるための構成であって、内壁部３２０で嵌合通孔３１０に向けた内側面は、本体１００の嵌合溝部１１１形状に対応するように曲面型からなる嵌合突出部３２１が嵌合通孔３１０方向に突出形成される。
【００６２】
前記外壁部３３０は、鼻腔内の皮膚に密着固定されることで離脱を防止するものであって、前記内壁部３２０より高さが高く形成されて、鼻腔内の鼻水などの水分がフィルタ２００に触れることを防止することによってフィルタ２００のろ過性能を維持させる。
【００６３】
前記鼻水収容部３４０は、鼻腔内の壁に沿って流れる鼻水のため、フィルタ２００が濡れてろ過性能が低下することを防止するために、流れる鼻水を収容できる別の空間部を形成したものであって、内壁部３２０と外壁部３３０との間で離間した空間を形成し、下部は、遮断された「Ｕ」字型断面の空間部を形成する。また、前記鼻水収容部３４０は、内壁部３２０と外壁部３３０とが離間した空間を形成しながらなされた構成であるが、これは、外壁部３３０が内側に伸縮され得る空間を提供するものでもあり、このような構成は、ユーザによって互いに異なる鼻腔サイズに対応して外壁部３３０が伸縮され得るようにしたものである。
【００６４】
上記のような形状からなる固定チューブ３００は、着用感を考慮してシリコン素材で形成されることが好ましい。
【００６５】
また、前記固定チューブ３００は、抗菌効果を向上させ、遠赤外線及び陰イオンを放出する効果のために、血液循環促進効果のある機能性組成物が含まれるが、このような機能性組成物には、銀（Ａｇ）、金（Ａｕ）、ゲルマニウム（Ｇｅ）、炭、麦飯石、絹雲母、活性炭のうち、少なくとも１つ以上が含まれ得る。上記において、炭、麦飯石、絹雲母、活性炭は、遠赤外線放出による血液循環及び細胞活性の促進と、抗菌機能の他に、脱臭及び湿度調節効果があることと知られている。
【００６６】
前記固定チューブ３００を構成するそれぞれの組成比は、全体１００重量％に対して、シリコンが９３〜９６重量％、硬化剤が１〜３重量％、機能性組成物が２〜５重量％を含んでなり、機能性組成物の粒度サイズは２００〜１０００ｍｅｓｈ範囲に微細に粉砕された形態が適用されることが好ましい。
【００６７】
このとき、シリコンが９３重量％未満に含有されるか、機能性組成物が５重量％を超過して含有されれば、成形された固定チューブ３００の弾性力が低下して着用感が良くないし、機能性組成物との嵌合力が低下して製品にクラックが発生したり、製品成形性が良くないという問題がある。
【００６８】
それに対し、シリコンが９６重量％を超過して含有されれば、相対的に機能性組成物の含量が少なくなるが、シリコンが９６重量％を超過したり、機能性組成物が２重量％未満に含有されれば、機能性組成物による抗菌及び遠赤外線放出効果などが低下して良くない。
【００６９】
また、機能性組成物の粒度サイズが２００ｍｅｓｈ未満であれば、粒子が太くて着用感が粗くなり、製品にクラック発生の恐れがあるか、成形性が良くないという問題があり、機能性組成物の粒度サイズが１０００ｍｅｓｈを超過すれば、粉砕過程が難しくなり、製品生産性が低下するという問題がある。
【００７０】
＜実施例：韓紙糸と綿糸との混合フィルタの製造＞
第１の段階：楮を主成分として製造された韓紙と天然木綿とを各々７：３の重量割合で混合して韓紙を主成分とする第１の繊維（韓紙糸）を形成した。
【００７１】
第２の段階：紫竹塩が５０重量％と、フィトンチッド原液が５０重量％を混合して製造された抗菌水を用意した。
【００７２】
第３の段階：天然木綿を用いて製造された天然綿糸を用意した後、第２の段階で用意された抗菌水に浸漬してから、乾燥して第２の繊維を形成した。
【００７３】
第４の段階：上記において製造された第１の繊維と第２の繊維とを製織し、繊維厚さが０．４〜０．８ｍｍの通孔サイズが３００〜６００ｍｅｓｈに該当するフィルタを製造した。
【００７４】
＜比較例１：合成樹脂フィルタ＞
既に市中で販売されているマスク用フィルタであって、合成樹脂（ＰＥ、ＰＰ）を主原料として製造されたものであり、通孔サイズが３００〜６００ｍｅｓｈに該当するフィルタを用意した。
【００７５】
＜比較例２：不織布フィルタ＞
既に市中で販売されているマスク用フィルタであって、抗菌処理された不織布を主原料として製造されたものであり、通孔サイズが３００〜６００ｍｅｓｈに該当するフィルタを用意した。
【００７６】
＜実験例１＞
本発明の実施例によって製造された韓紙糸と綿糸との混合フィルタと、比較例１のような合成樹脂フィルタ、比較例２のような不織布フィルタとを対象として空気透過度を実験した結果、次のような結果を得ることができた。このとき、実施例及び比較例１、比較例２においてフィルタの通孔サイズはいずれも同様なので、微細ほこりのろ過性能は実験対象から除外した。
【００７７】
【表１】
0006590166.tif 000002
【００７８】
＜実験例２＞
本発明の実施例によって製造された韓紙糸と綿糸との混合フィルタと、比較例１のような合成樹脂フィルタ、比較例２のような不織布フィルタを対象として抗菌性を実験した結果、次のような結果を得ることができた。
【００７９】
【表２】
0006590166.tif 000003
【００８０】
上記のように、本発明の実施例によって製造された韓紙糸と綿糸との混合フィルタは、市中で販売される比較例１によるフィルタ及び比較例２によるフィルタとともに、各々比較実験した結果、微細ほこりろ過性能は同様に維持しながら、韓紙糸及び綿糸が有する素材の特性により、空気透過率ははるかに高くて着用感が良いことが確認できた。
【００８１】
さらに、本発明の実施例によって製造されたフィルタと比較例１によるフィルタ及び比較例２によるフィルタとの抗菌試験においても、本発明の実施例によって製造されたフィルタは、細菌減少率が９９．９％であることに対し、他の比較対象は、細菌減少率に対する効果がほとんどなかった。
【００８２】
上記実験例１及び実験例２を介して確認することができるように、本願発明によって製造された鼻腔挿入型マスクに適用されるフィルタは、優れた空気透過率による楽な着用感を提供し、抗菌性も極めて高いことが確認できた。
【００８３】
本発明は、添付された図面を参照して好ましい実施例を中心に記述されたが、当業者であれば、このような記載から本発明の範疇を逸脱することなく、様々な自明な変形が可能であるということは明らかである。したがって、本発明の範疇は、このような多くの変形の例等を含むように記述された請求の範囲によって解釈されなければならない。
【符号の説明】
【００８４】
１００  本体
１１０  支持下部
１１１  嵌合溝部
１１２  空気通過孔
１２０  支持上部
１３０  連結バー
２００  フィルタ
３００  固定チューブ
３１０  嵌合通孔
３２０  内壁部
３２１  嵌合突出部
３３０  外壁部
３４０  鼻水収容部
【図１】
0006590166.tif 000004
【図２】
0006590166.tif 000005
【図３】
0006590166.tif 000006
【図４】
0006590166.tif 000007
【図５】
0006590166.tif 000008
【図６】
0006590166.tif 000009
【図７】
0006590166.tif 000010
【図８】
0006590166.tif 000011